(57)【要約】【課題】この出願発明は、連結具を持つブロックを利用することにより、短時間で修理ができ、しかも、剥離を防止することができるブロックを提供することを目的とする。【解決手段】この出願発明は、連結具が設けられていることを特徴とする連結具を持つブロックに関する。【選択図】　　　図１
2004060224.tif 000002
【特許請求の範囲】
【請求項１】
連結具が設けられていることを特徴とする連結具を持つブロック。
【請求項２】
連結具の長さが調節できることを特徴とする請求項１に記載の連結具を持つブロック。
【請求項３】
ブロックが、タイル、ガラスであることを特徴とする請求項１または２に記載の連結具を持つブロック。
【請求項４】
連結具の連結部が、弾性体であることを特徴とする請求項１〜３のいずれかに記載の連結具を持つブロック。
【請求項５】
連結具がストッパーを有することを特徴とする請求項１〜３のいずれかに記載の連結具を持つブロック。
【請求項６】
構造体に連結されていることを特徴とする請求項１〜５のいずれかに記載の連結具を持つブロック。
【請求項７】
構造体が鉄筋であることを特徴する請求項１〜５のいずれかに記載の連結具を持つブロック。
【請求項８】
構造体が壁であることを特徴する請求項１〜５のいずれかに記載の連結具を持つブロック。
【請求項９】
あらかじめ構造体に連結されている連結具にブロックを固定することを特徴とする連結具を持つブロック。
【発明の詳細な説明】
【０００１】
【発明の属する技術分野】この出願発明は、連結具を有するブロックに関する。
【０００２】
【従来の技術】建造物の壁面には、タイル、ガラスなどが外装材として使用されている。
これらの外装材は接着剤で接着しているため、時間の経過とともに剥離して脱落するため危険であり、また、修理をする必要が生じている。
しかし、道路沿い、とくに、高速道路のトンネルなど振動の激しいところでは、接着して修理をしても車の振動のために、接着部に隙間ができ、また、接着力が落ちるため危険であり、再び修理をする必要があるという問題があった。
【０００３】
【発明が解決しようとする課題】この出願発明は、このような問題を解決するものであり、連結具を持つブロックを利用することにより、短時間で修理ができ、しかも、剥離という危険を防止することができることを見い出しこの出願発明を完成した。
【０００４】
【課題を解決するための手段】この出願発明は、連結具が設けられている連結具を持つブロックに関する。
【０００５】
【作用】この出願発明の連結具を持つブロックは、連結具を有しているので、短時間でしかも簡単に連結することができ、作業を短時間で行わなければならない箇所あるいは、熟練していない作業者でも作業を行うことができしかも、剥離による危険を防ぐことができる。
【０００６】
【発明の実施の形態】この出願発明は、連結具の長さが調節できることが好ましい。
連結具の長さの調節は、どのようなものでもよいが、連結具の連結部と連結具の軸との間で例えば長さ調節部により、ネジなどで調節できるものでもよいし、ブロックと連結具の軸との間で調節できるものであってもよいし、軸が調節できるものであってもよい。
また、連結具は１個でも複数個でもよいが、１個であることが好ましい。
【０００７】
この出願発明のブロックの材料は、たとえは、陶磁器、ガラス、金属、プラスチック、木材などが使用されとくに限定されないが、陶磁器とくにタイル、ガラスであることがとくに好ましい。
ブロックの形状は、とくに限定されず、板状体、球状体、角柱、円柱、角錐、円錐でもよいし、動物その他の形状であってもよい。
この出願発明のブロックは、とくに限定されないが、外装材であることがとくに好ましい。
【０００８】
連結具の連結部は、ブロック体を連結できるものであればよく、弾性体、嵌合するものが好ましく、弾性体であることがとくに好ましい。
【０００９】
弾性体を利用する連結具としては、たとえば、挟持することあるいは拡がることにより連結できるものであればよいが、たとえは、鉄筋に押しつけて挿入し、鉄筋を挟持できるものが好ましい。
【００１０】
嵌合する連結具としては、嵌合することにより連結するもの、たとえば、孔の中に挿入して連結するものが使用され、Ｔ型止めが好ましい。
【００１１】
この出願発明は、連結具にストッパーを有することが好ましい。
ストッパーとしては、連結具を固定するものであればよいが、連結部の一部に取り付けられているものが好ましく、クリップ状のものがとくに好ましい。
【００１２】
この出願発明の連結用ブロックは、どのようなものに連結されてもよいが、構造体に連結されていることが好ましい。
【００１３】
構造体はとくに限定されないが、鉄筋、壁であることが好ましく、鉄筋であることがとくに好ましい。
【００１４】
鉄筋は、通常のものでよいが、弾性体をずれないように連結できるものであることが好ましい。
鉄筋の形状としては、どのようなものでもよいが、連結しやすいような形状であることが好ましい。
断面形状は円形でよいが、多角形であってもよい。
平面形状は、直線でもよいが、曲がっていてもよい。また、連結具が下方に滑らないように、連結する部分の下部を太くしてもよい。
鉄筋の表面は、通常の鉄筋のものでよいが、さらに、連結具がずれないように大きな凹凸を設けてもよい。
また、連結具にも凹凸を設けて鉄筋の凹凸と互いに噛み合うようになっていてもよい。
【００１５】
壁の場合には、壁に孔をあけておき、その孔に連結具を固定するものであり、連結具を孔に挿入した後に、例えば、ナットで連結してもよいし、孔に弾性体を挿入した後に孔の外あるいは孔の中で連結具が広がるようになっていてもよいし、また、Ｔ字状の孔のように、広い部分と狭い部分とを設け、狭い部分で連結するようにしてもよい。
【００１６】
この出願発明の連結具の材料は、金属、プラスチック、木などが使用できるが、金属であることがとくに好ましい。
【００１７】
また、予め構造体に連結されている連結具にブロックを固定してもよい。
このようにすることにより、ブロックを交換することが多い場合には、簡単にブロックの交換をすることができる。
【００１８】
【実施例】
以下、実施例によって、この出願発明を具体的に説明する。
図１は連結具を持つブロックを鉄筋に連結した状態を示す断面図であり、図２は連結具を持つブロックの斜視図であり、図３は他の連結具を持つブロックの斜視図であり、図４はストッパーを有する連結具を持つブロックの部分斜視図であって、ストッパーを矢印のようにして連結具に取り付けるものであり、図５は長さが調節できる連結具を持つブロックの部分平面図及び鉄筋に連結する状態を示す部分平面図であり、図６は他の連結具を持つブロック及び壁に連結する状態を示す斜視図であり、図７は他の連結具を持つブロック及び壁に連結する状態を示す斜視図であり、図８は鉄筋に予め連結されている連結具にブロックを固定した状態を示す断面図であり、１は連結具を持つブロック、２は鉄筋、３は壁、４は連結具、５は連結部、６は軸、７はブロック、８は長さ調節部、９はストッパー、１０は孔、１１はナットをそれぞれ示す。
【００１９】
実施例１
図２に示すように、連結部がステンレス製のリング状弾性体であり、長さが１５ｃｍの連結具４を持ち、一辺の長さが１０ｃｍで厚さが５ｃｍのガラスのブロック７である連結具を持つブロック１を鉄筋に押しつけて図１に示すように鉄筋２に連結した。
連結具を持つブロックは、従来ものとは異なり、接着剤によらないで連結できるので、瞬時に連結することができた。
したがって、トンネル内などの補修を簡単にしかも迅速に行うことができる。
また、熟練者ではなくても、熟練者と同様の作業を行うことができる。
同様に、図５に示すような連結部５と、長さ調節部８を有する連結具を持つブロックを図１に示すように鉄筋に連結した。
この連結具を持つブロックは、長さが調節できるので、現場の状況に応じて簡単に取り付けることができる。
長さ調節具は、ブロックに取り付けてもよいし、軸の長さを調節できるものであってもよい。
また、図５では連結部は三方から鉄筋を挟持しているが、たとえば、さらに横から挟持できるのであってもよい。
【００２０】
実施例２
図３に示すように、連結部がステンレス製のリング状弾性体であり、長さが１５ｃｍの連結具４を持ち、直径が１０ｃｍで厚さが５ｃｍのガラスのブロック７である連結具を持つブロック１を図１に示すように鉄筋２に連結し、図４に示すように、さらにストッパー９で固定した。
連結具を持つブロックは、従来ものとは異なり、接着剤によらないで連結できるので、瞬時に連結することができ、さらに、ストッパーを利用しているので強固に連結した。
【００２１】
実施例３
図６に示すように、長さが１５ｃｍ、先端が３ｃｍのステンレス製のＴ字状の連結具４を持ち長辺が１５ｃｍ、短辺が１０ｃｍ、厚さが５ｃｍのタイルのブロック７である連結具を持つブロック１を、壁３のＴ字状の孔１０に▲１▼▲２▼▲３▼の順序で連結具を持つブロック１を壁３に連結した。
連結具を持つブロックは、従来ものとは異なり、接着剤によらないで連結できるので、瞬時に連結することができた。
【００２２】
実施例４
図７に示すように、長さが１０ｃｍのステンレス製の棒状の連結具４を持つ長辺が１５ｃｍ、短辺が１０ｃｍ、厚さが５ｃｍのタイルのブロック７である連結具を持つブロック１を、壁３の円形の孔１０に▲１▼▲２▼▲３▼の順序で挿入し、壁の裏側でナット１１により固定して連結具を持つブロック１を連結した。
連結具を持つブロックは、従来ものとは異なり、接着剤によらないで連結できるので、瞬時に連結することができた。
また、交換する必要の多いブロックをいつでも簡単に交換できる。
【００２３】
実施例５
図８に示すように、長辺が１５ｃｍ、短辺が１０ｃｍ、厚さが５ｃｍのタイルのブロック７の孔を、予め鉄筋に連結してある長さが１０ｃｍの棒状の連結具に挿入し、壁の裏側でナット１１により固定してブロック７を連結した。
連結具を持つブロックは、従来ものとは異なり、接着剤によらないで連結できるので、瞬時に連結することができた。
【００２４】
【発明の効果】この出願発明の連結具を持つブロックは、連結具で構造体に固定できるので、簡単にしかも迅速に作業を行うことができ、また、連結具を持つブロックにストッパーが設けられている場合には、連結具を持つブロックをさらに完全に連結することができる。
接着剤により固定していないので、接着力の低下による剥離がなく、落下する危険がない。
最近は現場で働く人の技術力が低下しているが、この出願発明の連結具を持つブロックは単純な操作でよいので、初心者でも完全な工事ができる。
さらに、長さが調節できるので、現場での施工が容易である。
トンネル内の壁、高速道路脇の壁など施工後振動の激しい場所でも、接着剤による固定ではなく、弾性体あるいは嵌合により連結するので、接着力の低下はなく、しかも、工事期間を短縮できる。
また、頻繁に取り替える必要がある外装材の場合には、構造体に連結具をあらかじめ取り付けておけば、外装材を固着することにより簡単に取り付けることができる。
【図面の簡単な説明】
【図１】連結具を持つブロックを鉄筋に連結した状態を示す断面図。
【図２】連結具を持つブロックの斜視図。
【図３】他の連結具を持つブロックの斜視図。
【図４】ストッパーを有する連結具を持つブロックの部分斜視図。
【図５】長さが調節できる連結具を持つブロックの部分平面図及び鉄筋に連結する状態を示す部分平面図。
【図６】他の連結具を持つブロック及び壁に連結する状態を示す斜視図。
【図７】他の連結具を持つブロック及び壁に連結する状態を示す斜視図。
【図８】鉄筋に予め連結されている連結具にブロックを固定した状態を示す断面図。
【符号の説明】
１　連結具を持つブロック
２　鉄筋
３　壁
４　連結具
５　連結部
６　軸
７　ブロック
８　長さ調節部
９　ストッパー
１０　孔
１１　ナット
【図１】
2004060224.tif 000003
【図２】
2004060224.tif 000004
【図３】
2004060224.tif 000005
【図４】
2004060224.tif 000006
【図５】
2004060224.tif 000007
【図６】
2004060224.tif 000008
【図７】
2004060224.tif 000009
【図８】
2004060224.tif 000010